(57)【特許請求の範囲】
【請求項１】
遊技盤の前側面に取付けられる基体と、基体の前面から前方に突出して中心部より上方の位置で横方向に切断された略半環状を呈する弧状壁と、基体の前面から前方に突出して弧状壁の一方の端部に対応する弧状部と弧状部より上方に延長する縦状部とを有する屈曲壁と、弧状壁で囲まれた内部における基体に前後方向に貫通形成された逃孔と、基体における屈曲壁と横方向に対応する部分に前後方向に貫通形成される上側の長孔と、基体における屈曲壁と横方向に対応する部分に前後方向に貫通形成される下側の軸受孔と、弧状壁の他方の端部に対応する弧状部と弧状部より上方に延長する縦状部とを有する可動壁と、可動壁の弧状部の裏側面から後方に突出した支点としての軸と、可動壁の縦状部の裏側面から後方に突出したカムフォロアと、上記軸が軸受孔に前側より挿入されかつカムフォロアが長孔に前側より挿入されて可動壁が基体の前面から前方に突出するように配置されることによって可動壁の縦状部と屈曲壁の縦状部および基体の前面によって遊技盤の前側面から球を取り入れるように形成された入賞口と、上記軸が軸受孔に前側より挿入されかつカムフォロアが長孔に前側より挿入されて可動壁が基体の前面から前方に突出するように配置されることによって可動壁の弧状部と屈曲壁の弧状部と弧状壁および基体の前面によって形成された回転体収納室と、回転体収納室に回転可能に配置される回転体と、回転体の周縁に入賞口より導出された球を受入れるように回転体の周面から内部への窪みとして形成された切欠部と、基体の裏側面に取り付けられたモータと、モータから前側に突出して上記基体の逃孔を経由して回転体の中心に一緒に回転し得るように結合されたモータ軸と、基体とモータとの間におけるモータ軸に一緒に回転し得るように結合されたカムと、可動壁における基体の長孔より裏側に突出したカムフォロアを挿入するようにカムの周縁に形成されたカム溝とを備え、可動壁のカムフォロアが基体の前側より長孔を経由してカム溝に挿入されかつ可動壁の軸が基体の前側より軸受孔に挿入されかつ基体の前側に抜止されて取付けられた状態において回転体がモータ軸によって可動壁と対向する方向に回転する構成であって、カム溝が、カムの中心より同一な曲率半径の閉領域、カムの中心からの曲率半径が閉領域よりも大きな開領域、閉領域と開領域とに連なる閉から開への開動作領域、閉領域と開領域とに連なる開から閉への閉動作領域を備え、可動壁の弧状部と縦状部との交点を可動壁側ポイントとし、回転体における切欠部の回転方向後側部分と回転体の周面との交点を回転体側ポイントとし、回転体の可動壁と対向する方向への回転が進行し、可動壁側ポイントと回転体側ポイントとの間隔が入賞口に取り込まれる球の直径と同一寸法となる直前にはカムフォロアが開動作領域に位置し、引続き、回転体の可動壁と対向する方向への回転が進行し、可動壁側ポイントと回転体側ポイントとの間隔が球の直径と同一寸法となるときは、カムフォロアが開領域に位置し、このようにカムフォロアが開動作領域から開領域に移動する過程において可動壁が軸を支点とする横方向外側に移動して可動壁側ポイントと回転体側ポイントとの間隔は球噛みの発生しないように球の直径より大きい寸法に変更され、更に、回転体の可動壁と対向する方向への回転が進行し、可動壁側ポイントと回転体側ポイントとの間隔が球の直径と同一寸法となる直前にはカムフォロアが閉動作領域に位置し、引続き、回転体の可動壁と対向する方向への回転が進行するとカムフォロアが閉領域に位置し、このようにカムフォロアが閉動作領域から開領域に移動する過程において可動壁が軸を支点とする横方向内側に移動して、可動壁側ポイントと回転体側ポイントとの間隔は球噛みの発生しないように球の直径より小さい寸法に変更されることを特徴とする入賞口装置。
【請求項２】
切欠部の前側面が閉鎖されたことを特徴とする請求項１記載の入賞口装置。
【発明の詳細な説明】
【０００１】
【発明の属する技術分野】
本発明はパチンコ機の入賞口装置であって、球噛みを防止する構造に関する。
【０００２】
【従来の技術】
図８は従来の入賞口装置を示す。図８において、入賞口装置１０１の基体１０２の前面には入賞口１０３とこれに連なる回転体収納室１０４とを形成する周壁１０５が設けられ、回転体収納室１０４には周面に入賞口１０３より導出された球６７を受入れる切欠部１０６を有する回転体１０７が配置され、回転体１０７が基体１０２の裏面側に設けられた図外の駆動源により矢印方向に回転駆動される。そして、回転体１０７が矢印方向に回転駆動しており、球６７が入賞口１０３より切欠部１０６に移動する過程中に、周壁１０５側の固定ポイント１０８と回転体１０７側の可動ポイント１０９との間隔Ｔ１０が球６７の直径Ｄと同じ寸法になる状況が発生する。間隔Ｔ１０と球６７の直径Ｄとが同一になると（Ｔ１０＝Ｄ）、上記球６７が固定ポイント１０８と可動ポイント１０９とで把持された、所謂球噛みが発生することは周知である。このようなことから、特開平７−８０１３２号公報で開示された入賞口装置では、入賞口を形成する壁とモータで一方向に回転駆動される回転体に形成された切欠部との間で球噛みが発生すると、モータを逆転して球噛みを解消するようになっている。特許第２５７７７１１号公報で開示された入賞口装置では、回転体における切欠部を形成する球噛みの発生する側の回転部分に斜面を設け、回転体の回転に伴い、斜面で球を前方に押出すというように、球噛みの発生する回転体側のポイントを前後にずらすようになっている。
【０００３】
【発明が解決しようとする課題】
しかし、特開平７−８０１３２号公報の場合には、球噛みの発生を判定してモータを逆転する構造であるため、モータの制御系統が複雑になってしまう。特許第２５７７７１１号公報は回転体の斜面で球を前側に押出す構造であるので、球が斜面で前側に押出されると、球入賞口装置の前側に配置されたガラスが衝立として作用し、球噛みが発生する可能性がある。
【０００４】
そこで、本発明は、回転体に対応して球噛みが発生する壁側のポイントを横方向にカムでずらすことにより、球噛みを防止することができる入賞口装置を提供するものである。
【０００５】
【課題を解決するための手段】
本発明に係る入賞口装置は、遊技盤の前側面に取付けられる基体と、基体の前面から前方に突出して中心部より上方の位置で横方向に切断された略半環状を呈する弧状壁と、基体の前面から前方に突出して弧状壁の一方の端部に対応する弧状部と弧状部より上方に延長する縦状部とを有する屈曲壁と、弧状壁で囲まれた内部における基体に前後方向に貫通形成された逃孔と、基体における屈曲壁と横方向に対応する部分に前後方向に貫通形成される上側の長孔と、基体における屈曲壁と横方向に対応する部分に前後方向に貫通形成される下側の軸受孔と、弧状壁の他方の端部に対応する弧状部と弧状部より上方に延長する縦状部とを有する可動壁と、可動壁の弧状部の裏側面から後方に突出した支点としての軸と、可動壁の縦状部の裏側面から後方に突出したカムフォロアと、上記軸が軸受孔に前側より挿入されかつカムフォロアが長孔に前側より挿入されて可動壁が基体の前面から前方に突出するように配置されることによって可動壁の縦状部と屈曲壁の縦状部および基体の前面によって遊技盤の前側面から球を取り入れるように形成された入賞口と、上記軸が軸受孔に前側より挿入されかつカムフォロアが長孔に前側より挿入されて可動壁が基体の前面から前方に突出するように配置されることによって可動壁の弧状部と屈曲壁の弧状部と弧状壁および基体の前面によって形成された回転体収納室と、回転体収納室に回転可能に配置される回転体と、回転体の周縁に入賞口より導出された球を受入れるように回転体の周面から内部への窪みとして形成された切欠部と、基体の裏側面に取り付けられたモータと、モータから前側に突出して上記基体の逃孔を経由して回転体の中心に一緒に回転し得るように結合されたモータ軸と、基体とモータとの間におけるモータ軸に一緒に回転し得るように結合されたカムと、可動壁における基体の長孔より裏側に突出したカムフォロアを挿入するようにカムの周縁に形成されたカム溝とを備え、可動壁のカムフォロアが基体の前側より長孔を経由してカム溝に挿入されかつ可動壁の軸が基体の前側より軸受孔に挿入されかつ基体の前側に抜止されて取付けられた状態において回転体がモータ軸によって可動壁と対向する方向に回転する構成であって、カム溝が、カムの中心より同一な曲率半径の閉領域、カムの中心からの曲率半径が閉領域よりも大きな開領域、閉領域と開領域とに連なる閉から開への開動作領域、閉領域と開領域とに連なる開から閉への閉動作領域を備え、可動壁の弧状部と縦状部との交点を可動壁側ポイントとし、回転体における切欠部の回転方向後側部分と回転体の周面との交点を回転体側ポイントとし、回転体の可動壁と対向する方向への回転が進行し、可動壁側ポイントと回転体側ポイントとの間隔が入賞口に取り込まれる球の直径と同一寸法となる直前にはカムフォロアが開動作領域に位置し、引続き、回転体の可動壁と対向する方向への回転が進行し、可動壁側ポイントと回転体側ポイントとの間隔が球の直径と同一寸法となるときは、カムフォロアが開領域に位置し、このようにカムフォロアが開動作領域から開領域に移動する過程において可動壁が軸を支点とする横方向外側に移動して可動壁側ポイントと回転体側ポイントとの間隔は球噛みの発生しないように球の直径より大きい寸法に変更され、更に、回転体の可動壁と対向する方向への回転が進行し、可動壁側ポイントと回転体側ポイントとの間隔が球の直径と同一寸法となる直前にはカムフォロアが閉動作領域に位置し、引続き、回転体の可動壁と対向する方向への回転が進行するとカムフォロアが閉領域に位置し、このようにカムフォロアが閉動作領域から開領域に移動する過程において可動壁が軸を支点とする横方向内側に移動して、可動壁側ポイントと回転体側ポイントとの間隔は球噛みの発生しないように球の直径より小さい寸法に変更されることを特徴としている。よって、本発明に係る入賞口装置によれば、回転体に対応して球噛みが発生する可動壁側ポイントを横方向にカムでずらして、球噛みを防止することができ、カムフォロアがカム溝に挿入されているので、可動壁を元の位置に復帰させるような弾性が不要となり、機構が簡単となる。本発明に係る入賞口装置において、切欠部の前側面が閉鎖されれば、切欠部の前側面が閉鎖された部分を意匠表示部として形成することができる。
【０００６】
【発明の実施の形態】
図１〜図７は本発明の一実施形態であって、図１は入賞口装置１を分解して示し、図２は入賞口装置１を縦方向に切断した断面で遊技盤６０への取付状態を示し、図３〜図７は可動壁１５と回転体２５とカムフォロア１７とカム３３との同期回転関係を示す。
【０００７】
図１を参照し、入賞口装置１の構成部品について説明する。基体２の平坦な前面には弧状壁３と屈曲壁４とが前方に突出する。弧状壁３は中心部より上方の位置で横方向に切断された略半環状を呈する。屈曲壁４は弧状壁３との間に隙間５を以って弧状壁３の一方の端部に対応する弧状部と弧状部より上方に延長する縦状部とを有する。基体２における弧状壁３で囲まれた内部には逃孔６と球排出孔７とが前後方向に貫通形成される。逃孔６は弧状壁３で囲まれた内部の中心に位置し、球排出孔７は弧状壁３で囲まれた内部の下部で弧状壁３に沿うように位置する。
【０００８】
弧状壁３の前側面は意匠表示部８として形成される。基体２の屈曲壁４と対応する左側部分には上側の長孔９と下側の軸受孔１０とが前後方向に貫通形成される。基体２の弧状壁３と屈曲壁４と長孔９及び軸受孔１０よりも外側部分には取付孔１１が前後方向に貫通形成される。基体２の裏側面にはモータ取付部１２が後方に突出する。基体２は、弧状壁３、屈曲壁４、逃孔６、球排出孔７、意匠表示部８、長孔９、軸受孔１０、取付孔１１及びモータ取付部１２を備えた単一体として、有色な合成樹脂により形成される。
【０００９】
可動壁１５は屈曲壁４と左右対象な形状である。可動壁１５の弧状部の裏側面には支点としての軸１６が後方に突出し、可動壁１５の縦状部の裏側面にはカムフォロア１７が後方に突出する。可動壁１５は、軸１６及びカムフォロア１７を備えた単一体として、有色な合成樹脂により形成される。軸１６が軸受孔１０に前側より挿入され、カムフォロア１７が長孔９に前側より挿入されることにより、基体２に対して、可動壁１５は、屈曲壁４と左右対称となるように、又、軸１６と軸受孔１０とを中心として長孔９の範囲で横方向に回転可能に移動可能に、更に、弧状壁３との間に隙間１８（図２参照）を以って配置される。可動壁１５と弧状壁３及び屈曲壁４が入賞口１９と回転体収納室２０とを形成する周壁を構成する。当該周壁の入賞口１９と回転体収納室２０とにわたる部分の分割壁は可動壁１５により構成される。
【００１０】
回転体収納室２０に回転可能に配置される回転体２５は円形な前側面を意匠表示部２６として形成する。意匠表示部２６の中心には取付孔部２７が形成される。取付孔部２７はカップリング４２に一緒に回転し得るように外嵌される図外の異形孔を有する。意匠表示部２６の周縁には回転壁２８が後方に突出する。回転壁２８には入賞口１９より導出された球を受入れる切欠部２９が回転壁２８の周面より内部に窪み形成される。切欠部２９は回転壁２８の外周側及び裏側面に開口するが、切欠部２９の前側面は意匠表示部２６で閉鎖される。回転体２５は、意匠表示部２６、取付孔部２７、回転壁２８及び切欠部２９を備えた単一体として、有色な合成樹脂により形成される。
【００１１】
基体２の裏面側に配置されるカム３３は、中心に取付孔部３４を備え、周縁にカム溝３５を備えた単一体として、合成樹脂により形成された溝カムである。取付孔部３４はカップリング４２に一緒に回転し得るように外嵌される異形孔として形成される。カム溝３５は、カム３３の中心より同一な曲率半径の閉領域３６、カム３３の中心からの曲率半径が閉領域３６よりも大きな開領域３７、閉領域３６と開領域３７とに連なる閉から開への開動作領域３８、閉領域３６と開領域３７とに連なる開から閉への閉動作領域３９を備える。
【００１２】
カップリング４２は、回転体２５とカム３３とモータ４８とを結合するものであって、中央孔４３を有する筒状の外周面に平坦な前側ロック面４４と後側ロック面４５とを有し、後側ロック面４５より後方に内外に貫通するロック孔４６を有した単一体として、合成樹脂により形成される。中央孔４３は前半部がねじ孔であり、後半部が異形孔に形成される。回転体２５及びカム３３の駆動源としてのモータ４８は、前側にモータ軸４９を突出し、周縁にブラケット５１を左右外側に突出する。モータ軸４９は外周面に平坦なロック面５０を有する。ブラケット５１は貫通孔５２を個別に備える。
【００１３】
入賞口装置１の組立について説明する。可動壁１５のカムフォロア１７が基体２の長孔９に前側より挿入され、かつ、可動壁１５の軸１６が基体２の軸受孔１０に前側より挿入され、基体２の裏側に突出した軸１６に止輪５５が装着されることにより、可動壁１５が基体２に回転可能にかつ抜止された状態で取付けられる。
【００１４】
又、モータ軸４９にはカップリング４２における中央孔４３の後半部が嵌め込まれ、無頭ねじにより形成されたロックピン５６がカップリング４２の外側よりロック孔４６に装着されてモータ軸４９のロック面５０に押付けられることにより、カップリング４２とモータ軸４９とが互いに一緒に回転し得るように結合する。そして、カップリング４２がカム３３の取付孔部３４に嵌め込まれ、後側ロック面４５と取付孔部３４との嵌め合いにより、カップリング４２とカム３３とが互いに一緒に回転し得るように結合する。
【００１５】
その状態において、カム３３より前側に突出したカップリング４２の先端部が基体２の逃孔６に裏側より挿入される。そのとき、基体２の裏側に突出したカムフォロア１７がカム溝３５に挿入される。それから、止ねじ５７がブラケット５１の貫通孔５２よりモータ取付部１２に締結されることにより、モータ４８が基体２に取付けられる。
【００１６】
又、回転体２５が回転体収納室２０に前側より格納される。そのとき、回転体２５の取付孔部２７が基体２より回転体収納室２０に突出したカップリング４２の先端部に嵌め込まれ、取付孔部２７と前側ロック面４４との嵌め合いにより、回転体２５とカップリング４２とが互いに一緒に回転し得るように結合する。その状態において、止ねじ５８が回転体２５の前側より取付孔部２７を経由してカップリング４２に締結されて回転体２５の脱落防止を図る。これによって、入賞口装置１の組立が完成する。
【００１７】
図２を参照し、入賞口装置１が遊技盤６０に取付けられた場合について説明する。遊技盤６０には取付孔６１が予め前後方向に貫通形成されている。取付孔６１は基体２のモータ取付部１２及びカム３３を収納可能であるが取付孔１１を避ける形状である。その状態において、モータ４８が遊技盤６０の前側より取付孔６１に挿入され、基体２の裏側面が取付孔６１周りにおける遊技盤６０の化粧面である前側面に接触する。そして、木ねじのような止ねじ６２が基体２の前側より取付孔１１を経由して取付孔６１周りの遊技盤６０に締結され、入賞口装置１が遊技盤６０に取付けられる。このように遊技盤６０に入賞口装置１が取付けられた形態では、遊技盤６０の取付孔６１は基体２で覆われ前側から見えない。
【００１８】
図３〜図７を参照し、可動壁１５と回転体２５とカムフォロア１７とカム３３との同期回転する関係について説明する。図３〜図７において、ａ図は可動壁１５と回転体２５との位置関係を示し、ｂ図はカムフォロア１７とカム３３との位置関係を示し、６５は可動壁１５の弧状部と縦状部との交点である可動壁側ポイントを示し、６６は回転体２５の切欠部２９と周面との交点である回転体側ポイントを示す。又、図６〜図７におけるＰは可動壁側ポイント６５からの距離が球６７の直径Ｄと同一寸法となる回転体２５との交点を示す。
【００１９】
図３のａ図に示すように回転体２５が矢印Ｘ方向に回転駆動中であって、切欠部２９が可動壁１５を過ぎて弧状壁３と対応する位置である場合は、図３のｂ図に示すようにカムフォロア１７がカム３３の閉領域３６に位置していることから、ａ図に示すように可動壁１５が実線示位置にある。
【００２０】
そして、図４のａ図に示すように回転体２５の矢印Ｘ方向への回転が進行し、可動壁側ポイント６５と回転体側ポイント６６との間隔Ｔ１が球６７の直径Ｄと同一寸法となる直前には（Ｔ１＞Ｄ）、図４のｂ図に示すようにカムフォロア１７が開動作領域３８に位置する。引続き、図４のａ図に示す回転体２５の矢印方向Ｘへの回転が進行し、可動壁側ポイント６５と交点Ｐとの間隔が球６７の直径Ｄと同一寸法となるときは、図５のｂ図に示すようにカムフォロア１７が開領域３７に位置する。
【００２１】
このように、カムフォロア１７が図４のｂ図に示す開動作領域３８から図５のｂ図に示す開領域３７に移動を終了することにより、図５のａ図に示すように可動壁１５が軸６を支点とする横方向外側への移動を終了する。これによって、図５のａ図に示すように可動壁側ポイント６５と回転体側ポイント６６との間隔Ｔ２は球６７の直径Ｄより大きい寸法となり（Ｔ２＞Ｄ）、可動壁側ポイント６５と回転体側ポイント６６との間隔Ｔ２に球噛みは発生しない。
【００２２】
更に、回転体２５の矢印方向Ｘへの回転が進行し、図６のａ図に示すように可動壁側ポイント６５と回転体側ポイント６６との間隔Ｔ３が球６７の直径Ｄと同一寸法となる直前において（Ｔ１＞Ｄ）、図６のｂ図に示すようにカムフォロア１７が閉動作領域３９に位置する。引続き、図６のａ図に示す回転体２５の矢印方向Ｘへの回転が進行すると、図７のｂ図に示すようにカムフォロア１７が閉領域３６に位置する。
【００２３】
このように、カムフォロア１７が図６のｂ図に示す閉動作領域３９から図７のｂ図に示す開領域３７に移動を終了することにより、図７のａ図に示すように可動壁１５が軸６を支点とする横方向内側への移動を終了する。これによって、図７のａ図に示すように可動壁側ポイント６５と回転体側ポイント６６との間隔Ｔ４は球６７の直径Ｄより小さい寸法となり（Ｔ２＜Ｄ）、可動壁側ポイント６５と回転体側ポイント６６との間隔Ｔ４に球噛みは発生しない。
【００２４】
一方、カムフォロア１７が図６のｂ図に示す閉動作領域６９内を移動する過程において、回転体２５の矢印方向Ｖへの回転が進行し、例えば、図６のａ図に示す位置から図７のａ図に示す位置へと移動中の可動壁側ポイント６５と矢印方向Ｘに移動中の回転体側ポイント６６との間隔が球６７の直径Ｄと同一寸法となったとき、入賞口１９から切欠部２９に移動する球６７が上記間隔に到達した場合が万に一つ発生したとしても、可動壁側ポイント６５と回転体側ポイント６６との双方が互いに近づく方向に移動しており、球６７も下方に移動している。よって、互いに接触し合う部分相互の移動する力の作用や可動壁側ポイント６５が球６７を押す作用等の複合作用により、球６７が可動壁側ポイント６５と回転体側ポイント６６との間隔Ｔ６に把持されることはなく当該間隔Ｔ６をすり抜けて切欠部２９に取込まれ、移動中の可動壁側ポイント６５と移動中の回転体側ポイント６６との上記間隔に球噛みは発生しない。
【００２５】
そして、入賞口１９から切欠部２９に取込まれた球６７は、切欠部２９が回転体２５の回転の進行に伴い図１の球排出孔７と対応することにより、切欠部２９より球排出孔７を経由して遊技盤６０の裏面側に排出される。
【００２６】
実施形態では切欠部２９が１つであるが、切欠部２９は複数でも良いが、切欠部２９が複数の場合にはカム３３に開領域３７と開動作領域３８と閉動作領域３９とからなる可動壁１５の横方向への開閉動作部分を切欠部２９と同数設ければ良い。又、入賞口装置１は球排出孔７を基体２に前後方向に貫通形成した取込型を例示したが、入賞口装置１は球排出孔７を弧状壁３に回転体収納室２０と外側とに貫通形成した通過型にすることも可能である。又、カム３３はモータ軸４９に同軸状に設けたが、カム３３はモータ軸４９と異なる軸で基体２に支持して歯車列でモータ軸４９に連結されたり、又は、カム３３は回転体２５に設けたりすることも可能である。
【図面の簡単な説明】
【図１】  本発明の実施形態の入賞口装置を示す分解斜視図。
【図２】  同実施形態の入賞口装置の遊技盤取付形態を示す縦断面図。
【図３】  同実施形態のカムとカムフォロアとの位置関係を示す模式図。
【図４】  同実施形態のカムとカムフォロアとの位置関係を示す模式図。
【図５】  同実施形態のカムとカムフォロアとの位置関係を示す模式図。
【図６】  同実施形態のカムとカムフォロアとの位置関係を示す模式図。
【図７】  同実施形態のカムとカムフォロアとの位置関係を示す模式図。
【図８】  従来の入賞口装置を示す正面図。
【符号の説明】
１  入賞口装置
２  基体
３  弧状壁（周壁）
４  屈曲壁（周壁）
１５  可動壁(分割壁)
１６  軸（支点）
１７  カムフォロア
１９  入賞口
２０  回転体収納室
２５  回転体
２８  回転壁（周面）
２９  切欠部
３３  カム
３５  カム溝
３６  閉領域
３７  開領域
３８  開動作領域
３９  閉動作領域
４８  モータ（駆動源）
【図１】
0003717765.tif 000002
【図２】
0003717765.tif 000003
【図３】
0003717765.tif 000004
【図４】
0003717765.tif 000005
【図５】
0003717765.tif 000006
【図６】
0003717765.tif 000007
【図７】
0003717765.tif 000008
【図８】
0003717765.tif 000009